(57)【要約】【課題】  コネクタの数を少なくすること。【解決手段】  デジタルビデオカメラは、アナログ信号を入力可能なアナログ機器と接続可能なアナログケーブルおよびＵＳＢ信号を入出力可能なデジタル機器と接続可能なデジタルケーブルのうちいずれか一方と接続が可能なＵＳＢソケット４３と、アナログ信号を出力する第１および第２アナログ回路７０，７１と、ＵＳＢ信号を入出力する第１および第２ＵＳＢ回路６０，６３と、ＵＳＢソケット４３を、第１および第２アナログ回路７０，７１、第１および第２ＵＳＢ回路６０，６３のいずれかと接続するＵＳＢスイッチ１１０，１１０Ａと、を備える。【選択図】        図２
2013130898.tif 000002
【特許請求の範囲】
【請求項１】
アナログ信号を入力可能なアナログ機器と接続可能なアナログケーブルおよびデジタル信号を入出力可能なデジタル機器と接続可能なデジタルケーブルのうちいずれか一方と接続が可能なコネクタと、
アナログ信号を出力するアナログ回路と、
デジタル信号を入出力するデジタル回路と、
前記コネクタを、前記アナログ回路および前記デジタル回路のいずれか一方と接続する切換手段と、を備えた電子機器。
【請求項２】
前記コネクタは、ＩＤ端子とＧＮＤ端子とデータ通信端子とを少なくとも有し、
前記アナログケーブルは、前記ＩＤ端子と前記ＧＮＤ端子とを接続しており、
前記デジタルケーブルは、前記ＩＤ端子を開放しており、
前記切換手段は、前記ＩＤ端子を所定の電圧にプルアップするプルアップ手段と、
前記ＩＤ端子の電圧を検出する検出手段と、を含む、請求項１に記載の電子機器。
【請求項３】
前記切換手段は、ダイナミックレンジがプラス側の所定範囲に制限され、前記コネクタと前記デジタル回路との間に設けられ、前記コネクタの前記データ通信端子と前記デジタル回路とを接続する接続状態および非接続状態のいずれかに切り換える第１コネクタスイッチと、
ダイナミックレンジがプラス側の所定範囲に制限され、前記コネクタと前記アナログ回路との間に設けられ、前記コネクタの前記データ通信端子と前記アナログ回路とを接続する接続状態および非接続状態のいずれかに切り換える第２コネクタスイッチと、
前記第１コネクタスイッチおよび前記第２コネクタスイッチを制御する制御手段と、
前記第２コネクタスイッチと前記コネクタとの間に接続されるコンデンサと、を含み、
前記制御手段は、前記検出手段と、
前記検出手段により前記所定の電圧が検出される間は、前記第１コネクタスイッチを接続状態にし、前記第２コネクタスイッチを非接続状態にし、前記検出手段により前記所定の電圧が検出されない間は、前記第２コネクタスイッチを接続状態にし、前記第１コネクタスイッチを非接続状態にする切換制御手段と、を含む請求項２に記載の電子機器。
【請求項４】
前記データ通信端子は、第１のデータ通信端子と、第２のデータ通信端子と、を含み、
前記アナログ回路は、ビデオ信号出力端子と、オーディオ信号出力端子と、を有し、前記ビデオ信号出力端子からビデオ信号出力し、前記オーディオ信号出力端子からオーディオ信号を出力し、
前記第１のデータ通信端子は、前記ビデオ信号出力端子と接続され、
前記第２のデータ通信端子は、前記オーディオ信号出力端子と接続され、
前記コンデンサは、前記第２のデータ通信端子と前記オーディオ信号出力端子との間に直列接続される、請求項３に記載の電子機器。
【請求項５】
前記切換手段は、前記コネクタと前記アナログ回路および前記デジタル回路との間に設けられ、前記コネクタの前記データ通信端子をアナログ回路とデジタル回路とのいずれか一方に接続するコネクタスイッチと、
前記コネクタスイッチを制御する制御手段と、を含み、
前記制御手段は、前記検出手段と、
前記検出手段により前記所定の電圧が検出される間は、前記コネクタの前記データ通信端子を前記デジタル回路に接続する指示を前記コネクタスイッチに出力し、前記検出手段により前記所定の電圧が検出されない間は、前記コネクタの前記データ通信端子を前記アナログ回路に接続する指示を前記コネクタスイッチに出力する切換制御手段と、を含む、請求項２に記載の電子機器。
【発明の詳細な説明】
【技術分野】
【０００１】
この発明は、電子機器に関し、特に外部にアナログまたはデジタルの２種類の信号を出力可能な電子機器に関する。
【背景技術】
【０００２】
外部に接続される機器に応じてデジタル信号とアナログ信号のいずれかを出力する電子機器が知られている。特開２００６−２９３４４０号公報（特許文献１）には、外部からの制御信号を入力する入力端子、アナログ信号を出力するアナログ出力端子及びデジタル信号を出力するデジタル出力端子を含む機器コネクタを有する機器との接続が可能な電気機器において、前記機器コネクタとの接続が可能な接続コネクタを備え、該接続コネクタは、前記入力端子との接続を行なって制御信号を出力する出力端子と、前記アナログ出力端子から出力されたアナログ信号を入力するアナログ入力端子と、前記デジタル出力端子から出力されたデジタル信号を入力するデジタル入力端子と、を含むことを特徴とする電気機器が記載されている。
【０００３】
しかしながら、従来の電気機器は、アナログ信号用の端子と、デジタル信号用の端子とを設けなければならない。特に、外部の機器と接続される端子を含むコネクタは、機器の外部からケーブルが接続できるように、外装に設けなければならない。このため、機器を小型化することができないといった問題があった。
【特許文献１】特開２００６−２９３４４０号公報
【発明の概要】
【発明が解決しようとする課題】
【０００４】
この発明は上述した問題点を解決するためになされたもので、この発明の目的の１つは、コネクタの数を少なくした電子機器を提供することである。
【課題を解決するための手段】
【０００５】
上述した目的を達成するためにこの発明のある局面によれば、電子機器は、アナログ信号を入力可能なアナログ機器と接続可能なアナログケーブルおよびデジタル信号を入出力可能なデジタル機器と接続可能なデジタルケーブルのうちいずれか一方と接続が可能なコネクタと、アナログ信号を出力するアナログ回路と、デジタル信号を入出力するデジタル回路と、コネクタを、アナログ回路およびデジタル回路のいずれか一方と接続する切換手段と、を備える。
【０００６】
例えば、デジタル回路がＵＳＢ回路である場合、コネクタを、アナログ回路およびＵＳＢ回路のいずれか一方と接続するので、１つのコネクタからアナログ信号とＵＳＢ信号とのいずれか一方を出力することができる。その結果、コネクタの数を少なくした電子機器を提供することができる。
【０００７】
好ましくは、コネクタは、ＩＤ端子とＧＮＤ端子とデータ通信端子とを少なくとも有し、アナログケーブルは、ＩＤ端子とＧＮＤ端子とを接続しており、ＵＳＢケーブルは、ＩＤ端子を開放しており、切換手段は、ＩＤ端子を所定の電圧にプルアップするプルアップ手段と、ＩＤ端子の電圧を検出する検出手段と、を含む。
【０００８】
この局面に従えば、コネクタにアナログケーブルが接続されると、ＩＤ端子が接地され、コネクタにＵＳＢケーブルが接続されると、ＩＤ端子が所定の電圧にプルアップされる。このため、コネクタにアナログケーブルが接続されたことを検出することができる。
【０００９】
好ましくは、切換手段は、ダイナミックレンジがプラス側の所定範囲に制限され、コネクタとＵＳＢ回路との間に設けられ、コネクタのデータ通信端子とＵＳＢ回路とを接続する接続状態および非接続状態のいずれかに切り換える第１コネクタスイッチと、ダイナミックレンジがプラス側の所定範囲に制限され、コネクタとアナログ回路との間に設けられ、コネクタのデータ通信端子とアナログ回路とを接続する接続状態および非接続状態のいずれかに切り換える第２コネクタスイッチと、第１コネクタスイッチおよび第２コネクタスイッチを制御する制御手段と、第２コネクタスイッチとコネクタとの間に直列接続されるコンデンサと、を含み、制御手段は、検出手段と、検出手段により所定の電圧が検出される間は、第１コネクタスイッチを接続状態にし、第２コネクタスイッチを非接続状態にし、検出手段により所定の電圧が検出されない間は、第２コネクタスイッチを接続状態にし、第１コネクタスイッチを非接続状態にする切換制御手段と、を含む。
【００１０】
この局面に従えば、アナログ回路とコネクタのとの間にコンデンサが直列に接続されるので、アナログ回路から出力されるアナログ信号の直流成分を除去したアナログ信号をコネクタから出力することができる。また、コンデンサが、第２コネクタスイッチとコネクタとの間に接続されるので、直流成分を除去する前のアナログ信号が第２コネクタスイッチに入力されるので、ダイナミックレンジがプラス側の所定範囲に制限される第２コネクタスイッチを用いることができる。
【００１１】
好ましくは、データ通信端子は、第１のデータ通信端子と、第２のデータ通信端子と、を含み、アナログ回路は、ビデオ信号出力端子と、オーディオ信号出力端子と、を有し、アナログ回路は、ビデオ信号出力端子からビデオ信号出力し、オーディオ信号出力端子からオーディオ信号を出力し、第１のデータ通信端子は、ビデオ信号出力端子と接続され、第２のデータ通信端子は、オーディオ信号出力端子と接続され、コンデンサは、第２のデータ通信端子とオーディオ信号出力端子との間に接続される。
【００１２】
好ましくは、切換手段は、コネクタとアナログ回路およびＵＳＢ回路との間に設けられ、コネクタのデータ通信端子をアナログ回路とＵＳＢ回路とのいずれか一方に接続するコネクタスイッチと、コネクタスイッチを制御する制御手段と、を含み、制御手段は、検出手段と、検出手段により所定の電圧が検出される間は、コネクタのデータ通信端子をＵＳＢ回路に接続する指示をコネクタスイッチに出力し、検出手段により所定の電圧が検出されない間は、コネクタのデータ通信端子をアナログ回路に接続する指示をコネクタスイッチに出力する切換制御手段と、を含む。
【００１３】
この局面に従えば、コネクタにアナログケーブルが接続される場合に、コネクタにアナログ回路を接続し、コネクタにアナログケーブルが接続されていない場合に、コネクタにＵＳＢ回路を接続する。このため、コネクタに接続されるケーブルに対応して回路を切り換えることが可能な電子機器を提供することができる。
【図面の簡単な説明】
【００１４】
【図１】本実施の形態の１つにおけるビデオカメラの構成の概略を示すブロック図である。
【図２】入出力回路の構成の一例をＵＳＢソケットおよびＣＰＵとともに示すブロック図である。
【図３】アナログケーブルの一例を示す図である。
【図４】ＵＳＢケーブルの一例を示す図である。
【図５】第１の実施の形態における切換処理の流れの一例を示すフローチャートである。
【図６】（Ａ）は第１ＵＳＢスイッチおよび第２ＵＳＢスイッチの配置の一例を示す平面図であり、（Ｂ）は、Ａ−Ａ線断面図である。
【図７】第２の実施の形態における入出力回路の構成の一例をＵＳＢソケットおよびＣＰＵとともに示すブロック図である。
【図８】第２の実施の形態における切換処理の流れの一例を示すフローチャートである。
【発明を実施するための形態】
【００１５】
以下、本発明の実施の形態について図面を参照して説明する。以下の説明では同一の部品には同一の符号を付してある。それらの名称および機能も同じである。したがってそれらについての詳細な説明は繰り返さない。
【００１６】
＜第１の実施の形態＞
本実施の形態においては、電子機器の一例としてビデオカメラについて説明する。図１は、本実施の形態の１つにおけるビデオカメラの構成の概略を示すブロック図である。図１を参照して、デジタルビデオカメラ１０は、デジタルビデオカメラ１０の全体を制御する中央演算装置（ＣＰＵ）１１と、ＣＰＵ１１が実行するためのプログラム等を記憶するＲＯＭ（Ｒｅａｄ  Ｏｎｌｙ  Ｍｅｍｏｒｙ）１３と、イメージセンサ１５と、操作部１７と、マイクロホン２１と、アナログ／デジタル変換部（Ａ／Ｄ）１９，２３と、メモリ制御部２５と、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）２７と、液晶表示装置（ＬＣＤ）３１と、ＬＣＤドライバ２９と、ＪＰＥＧ（Ｊｏｉｎｔ  Ｐｈｏｔｏｇｒａｐｈｉｃ  Ｅｘｐｅｒｔｓ  Ｇｒｏｕｐ）−ＣＯＤＥＣ３３と、ＭＰＥＧ（Ｍｏｖｉｎｇ  Ｐｉｃｔｕｒｅ  Ｅｘｐｅｒｔｓ  Ｇｒｏｕｐ）−ＣＯＤＥＣ３５と、大容量記憶装置としてのハードディスクドライブ（ＨＤＤ）３７と、入出力回路４１と、ＵＳＢソケット４３と、を含む。
【００１７】
ＣＰＵ１１、メモリ制御部２５、ＪＰＥＧ‐ＣＯＤＥＣ３３、ＭＰＥＧ‐ＣＯＤＥＣ３５および入出力回路４１それぞれは、バス３９に接続されている。イメージセンサ１５は、レンズを介して結像する被写体像の画像を光電変換した画像をＡ／Ｄ１９に出力する。Ａ／Ｄ１９は、入力されるアナログ信号の画像のデータをＵＳＢ信号に変換し、メモリ制御部２５に出力する。
【００１８】
また、マイクロホン２１は、音を集音し、アナログ信号の音データを、Ａ／Ｄ２３に出力する。Ａ／Ｄ２３は、マイクロホン２１から入力されるアナログ信号の音データをＵＳＢ信号に変換し、メモリ制御部２５に出力する。
【００１９】
メモリ制御部２５は、Ａ／Ｄ１９から入力される画像をＳＤＲＡＭ２７の表示画像エリアに格納し、Ａ／Ｄ２３から入力される音をＳＤＲＡＭ２７の音エリアに格納する。ＬＣＤドライバ２９は、ＳＤＲＡＭ２７の表示画像エリアに格納された画像のＵＳＢ信号のデータを、Ｒ（赤）Ｇ（緑）Ｂ（青）のアナログ信号のデータに変換し、ＬＣＤ３１に出力する。これにより、ＬＣＤ３１に画像が表示される。
【００２０】
操作部１７は、ユーザの操作を受け付けるための複数のボタンを有する。また、操作部１７は、ＬＣＤ３１に重畳して設けられるタッチパネルを含み、ユーザがＬＣＤ３１の表示面を指で指示すると、指示された位置を受け付ける。
【００２１】
ＪＰＥＧ−ＣＯＤＥＣ３３は、ＣＰＵ１１により制御され、ＳＤＲＡＭ２７に格納されたデジタル信号の画像データを圧縮符合化し、ＪＰＥＧフォーマットの符号化データに変換し、また、ＪＰＥＧフォーマットの符号化データを復号し、デジタル信号の画像データに変換する。
【００２２】
ＭＰＥＧ−ＣＯＤＥＣ３５は、ＣＰＵ１１により制御され、ＳＤＲＡＭ２７に時系列に格納される複数フレームの画像のデータと、音のデータとを圧縮符号化し、ＭＰＥＧフォーマットの符号化データに変換し、また、ＭＰＥＧフォーマットの符号化データを復号し、画像のデータと音のデータとに変換する。ＪＰＥＧ−ＣＯＤＥＣ３３が、１フレームの画像を符号化または復号するのに対して、ＭＰＥＧ−ＣＯＤＥＣ３５は、複数フレームの画像からなる動画像と音のデータを符号化または復号する。
【００２３】
ＨＤＤ３７には、ＪＰＥＧ−ＣＯＤＥＣ３３によりＪＰＥＧフォーマットに変換された符号化データおよびＭＰＥＧ−ＣＯＤＥＣ３５によりＭＰＥＧフォーマットに変換された符号化データが記憶される。
【００２４】
なお、ここでは、大容量記憶装置としてＨＤＤ３７を備える例を説明したが、ＨＤＤ３７に代えて、内蔵のフラッシュメモリであってもよいし、着脱可能な光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などを用いてもよい。
【００２５】
図２は、入出力回路の構成の一例をＵＳＢソケットおよびＣＰＵとともに示すブロック図である。図２を参照して、入出力回路４１は、第１ＵＳＢ回路６０と、第２ＵＳＢ回路６３と、第１アナログ回路７０と、第２アナログ回路７３と、第１ＵＳＢスイッチ１０１と、第２ＵＳＢスイッチ１０１Ａと、コンデンサＣ１と、コモンフィルタ８１と、プルアップ抵抗Ｒと、を含む。第１ＵＳＢスイッチおよび第２ＵＳＢスイッチ１０１Ａは、コネクタスイッチの一例である。
【００２６】
ＵＳＢソケット４３は、アナログ信号を入力可能なアナログ機器と接続が可能なアナログケーブルおよびデジタル信号を入出力可能なデジタル機器と接続が可能なＵＳＢケーブルのうちいずれか一方と接続が可能なコネクタである。ＵＳＢソケット４３は、ＵＳＢ規格で定められたミニＵＳＢまたはマイクロＵＳＢのピン配置を有するコネクタである。ここでは、ＵＳＢソケット４３を、ミニＵＳＢの規格で定められたピン配置のコネクタとする場合を例に説明する。ＵＳＢソケット４３は、ＶＢＵＳ端子１４０と、Ｄ−端子１４１と、Ｄ＋端子１４２と、ＩＤ端子１４３と、ＧＮＤ端子１４４と、を含む。
【００２７】
ここで、ＵＳＢソケット４３に接続可能なＵＳＢケーブルおよびアナログケーブルについて説明する。図３は、アナログケーブルの一例を示す図である。図３を参照して、アナログケーブル１は、一端にＵＳＢプラグ４５を有し、他端に２つのピンプラグ４６，４７を有する。アナログケーブル１のＵＳＢプラグ４５は、ＵＳＢ規格で定められたミニＵＳＢのピン配置に従って配置されたＶＢＵＳ端子、Ｄ−端子、Ｄ＋端子、ＩＤ端子およびＧＮＤ端子を含む。ＵＳＢプラグ４５がデジタルビデオカメラ１０のＵＳＢソケット４３に接続されると、ＵＳＢプラグ４５が有するＶＢＵＳ端子、Ｄ−端子、ＩＤ端子およびＧＮＤ端子は、デジタルビデオカメラ１０のＵＳＢソケット４３が有するＶＢＵＳ端子１４０、Ｄ−端子１４１、Ｄ＋端子１４２、ＩＤ端子１４３およびＧＮＤ端子１４４とそれぞれ電気的に接続される。
【００２８】
ＵＳＢプラグ４５は、ＩＤ端子とＧＮＤ端子とを電気的に接続している。ＵＳＢプラグ４５のＤ−端子はピンプラグ４６とケーブルによって接続されており、ＵＳＢプラグ４５のＤ＋端子はピンプラグ４７とケーブルによって接続されている。ピンプラグ４６，４７は、テレビジョン受像機、モニター等の表示装置が備えるアナログの映像入力端子および音声入力端子とそれぞれ接続可能なコネクタである。
【００２９】
図４は、ＵＳＢケーブルの一例を示す図である。図４を参照して、ＵＳＢケーブル２は、一端にＵＳＢプラグ４８を有し、他端にＵＳＢプラグ４９を有する。ＵＳＢプラグ４８は、ＵＳＢ規格で定められたミニＵＳＢのピン配置に従って配置されたＶＢＵＳ端子、Ｄ−端子、Ｄ＋端子およびＩＤ端子を含む。ＵＳＢプラグ４９は、ＵＳＢ規格で定められたＵＳＢ  Ａ端子であり、ＶＢＵＳ端子、Ｄ−端子およびＤ＋端子を含み、ＩＤ端子を有さない。ＵＳＢケーブル２のＵＳＢプラグ４８が有するＶＢＵＳ端子、Ｄ−端子、Ｄ＋端子は、ＵＳＢケーブル２のＵＳＢプラグ４９が有するＶＢＵＳ端子、Ｄ−端子、Ｄ＋端子とケーブルで電気的にそれぞれ接続される。なお、ＵＳＢケーブル２のＵＳＢプラグ４８が有するＩＤ端子は、開放されている。
【００３０】
ＵＳＢプラグ４８は、デジタルビデオカメラ１０に設けられたＵＳＢソケット４３と接続が可能である。したがって、ＵＳＢケーブル２のＵＳＢプラグ４８がデジタルビデオカメラ１０のＵＳＢソケット４３に接続されると、ＵＳＢケーブル２のＵＳＢプラグ４８が有するＶＢＵＳ端子、Ｄ−端子、Ｄ＋端子およびＩＤ端子は、デジタルビデオカメラ１０のＵＳＢソケット４３が有するＶＢＵＳ端子１４０、Ｄ−端子１４１、Ｄ＋端子１４２およびＩＤ端子１４３とそれぞれ電気的に接続される。
【００３１】
ＵＳＢケーブル２のＵＳＢプラグ４８がデジタルビデオカメラ１０が有するＵＳＢソケット４３に接続される場合、ＵＳＢプラグ４９は、パーソナルコンピューター（ＰＣ）等の電子機器に設けられたＵＳＢソケットと接続される。
【００３２】
図２に戻って、ＣＰＵ１１は、ＢＵＳ３９を介して、第１ＵＳＢ回路６０、第２ＵＳＢ回路６３、第１アナログ回路７０、第２アナログ回路７３と接続されており、第１ＵＳＢ回路６０、第２ＵＳＢ回路６３、第１アナログ回路７０および第２アナログ回路７３をそれぞれ制御する。また、ＣＰＵ１１は、ＵＳＢ−ＳＥＬ端子５１、ＯＥ−ＵＳＢ端子５２、ＡＶ−ＤＥＴ端子５３、ＡＶ−ＳＥＬ端子５４およびＯＥ−ＡＶ端子５５と、を有する。
【００３３】
第１ＵＳＢ回路６０は、ＣＰＵ１１とＢＵＳ３９を介して接続され、ＣＰＵ１１により制御されてＵＳＢ信号を入出力する回路である。第１ＵＳＢ回路６０は、デジタル信号の入出力端子としてＤ−端子６１と、Ｄ＋端子６２と、を含む。
【００３４】
第２ＵＳＢ回路６３は、ＣＰＵ１１とＢＵＳ３９を介して接続され、ＣＰＵ１１により制御されてＵＳＢ信号を入出力する回路である。第２ＵＳＢ回路６３は、デジタル信号の入出力端子としてＤ−端子６４と、Ｄ＋端子６５と、を含む。
【００３５】
第１ＵＳＢスイッチ１０１と、第２ＵＳＢスイッチ１０１Ａとは、ダイナミックレンジがプラス側の所定の範囲に制限された同じ性能を有する電子部品である。第１ＵＳＢスイッチ１０１および第２ＵＳＢスイッチ１０１Ａの構成は同じである。図２においては、第１ＵＳＢスイッチ１０１および第２ＵＳＢスイッチ１０１Ａそれぞれが有する部品には同じ数字を含む符号を付し、第２ＵＳＢスイッチ１０１Ａが有する部品に付した符号は、第１ＵＳＢスイッチ１０１が有する部品に付した符号の番号の後に文字「Ａ」を添えた符号で示している。
【００３６】
ここでは、第１ＵＳＢスイッチ１０１を例にその構成を説明する。第１ＵＳＢスイッチ１０１は、端子１１３、１１５、１１７を含む第１スイッチ１１０と、端子１２３、１２５、１２７を含む第２スイッチ１２０と、選択信号入力端子１２９と、接続信号入力端子１３１と、を含む。選択信号入力端子１２９は、後述するＣＰＵ１１から第１選択状態または第２選択状態のいずれかを示す選択信号が入力される。接続信号入力端子１３１は、後述するＣＰＵ１１から接続状態または非接続状態のいずれかを示す接続信号が入力される。
【００３７】
第１スイッチ１１０は、選択信号入力端子１２９に入力される選択信号に基づいて、端子１１５を、端子１１３および端子１１７のいずれか一方と電気的に接続するスイッチである。具体的には、第１スイッチ１１０は、選択信号入力端子１２９に第１選択状態を示す選択信号が入力される場合は端子１１５を端子１１３と電気的に接続し、選択信号入力端子１２９に第２選択状態を示す選択信号が入力される場合は端子１１５を端子１１７と電気的に接続する。
【００３８】
第２スイッチ１２０は、選択信号入力端子１２９に入力される選択信号に基づいて、端子１２５を、端子１２３および端子１２７のいずれか一方と電気的に接続するスイッチである。具体的には、第２スイッチ１２０は、選択信号入力端子１２９に第１選択状態を示す選択信号が入力される場合は端子１２５を端子１２３と電気的に接続し、選択信号入力端子１２９に第２選択状態を示す選択信号が入力される場合は端子１２５を端子１２７と電気的に接続する。
【００３９】
また、第１ＵＳＢスイッチ１０１は、接続信号入力端子１３１に接続状態を示す接続信号が入力される場合、第１ＵＳＢスイッチ１０１を能動化し、接続信号入力端子１３１に非接続状態を示す接続信号が入力される場合、第１ＵＳＢスイッチ１０１を非能動化する。具体的には、第１ＵＳＢスイッチ１０１は、接続信号入力端子１３１に非接続状態を示す接続信号が入力される場合、端子１１５および端子１２５を開放して回路を開き、接続信号入力端子１３１に接続状態を示す接続信号が入力される場合、端子１１５および端子１２５を開放することなく回路を閉じる。
【００４０】
第１ＵＳＢスイッチ１０１の端子１１３および端子１２３は、第１ＵＳＢ回路６０のＤ−端子６１およびＤ＋端子６２にそれぞれ接続される。第１ＵＳＢスイッチ１０１の端子１１７および端子１２７は、第２ＵＳＢ回路６３のＤ−端子６４およびＤ＋端子６５にそれぞれ接続される。第１ＵＳＢスイッチ１０１の選択信号入力端子１２９および接続信号入力端子１３１は、ＣＰＵ１１のＵＳＢ−ＳＥＬ端子５１およびＯＥ−ＵＳＢ端子５２とそれぞれと接続される。第１ＵＳＢスイッチ１０１の端子１１５および端子１２５は、ＵＳＢソケット４３のＤ−端子１４１およびＤ＋端子１４２とそれぞれ接続される。
【００４１】
第１アナログ回路７０は、ＣＰＵ１１とＢＵＳ３９を介して接続され、ＣＰＵ１１により制御されてアナログ信号を出力する回路である。ここでは、第１アナログ回路７０を、ビデオ信号とオーディオ信号とを出力する回路としている。第１アナログ回路７０は、ビデオ信号の出力端子としてＶＩＤＥＯ端子７２と、オーディオ信号の出力端子としてＡＵＤＩＯ端子７１と、を含む。第１アナログ回路７０が出力するオーディオ信号は、交流のオーディオ信号に直流成分が付加されたアナログ信号である。
【００４２】
第２アナログ回路７３は、ＣＰＵ１１とＢＵＳ３９を介して接続され、ＣＰＵ１１により制御されてアナログ信号を出力する回路である。ここでは、第２アナログ回路７３を、ビデオ信号とオーディオ信号とを出力する回路としている。第２アナログ回路７３は、ビデオ信号の出力端子としてＶＩＤＥＯ端子７５と、オーディオ信号の出力端子としてＡＵＤＩＯ端子７４と、を含む。第２アナログ回路７３が出力するオーディオ信号は、交流のオーディオ信号に直流成分が付加されたアナログ信号である。
【００４３】
第２ＵＳＢスイッチ１０１Ａの端子１１３Ａおよび端子１２３Ａは、第１アナログ回路７０のＡＵＤＩＯ端子７１およびＶＩＤＥＯ端子７２にそれぞれ接続される。第２ＵＳＢスイッチ１０１Ａの端子１１７Ａおよび端子１２７Ａは、第２アナログ回路７３のＡＵＤＩＯ端子７４およびＶＩＤＥＯ端子７５にそれぞれ接続される。第２ＵＳＢスイッチ１０１Ａの選択信号入力端子１２９Ａおよび接続信号入力端子１３１Ａは、ＣＰＵ１１のＡＶ−ＳＥＬ端子５４およびＯＥ−ＡＶ端子５５にそれぞれ接続される。第２ＵＳＢスイッチ１０１Ａの端子１１５Ａは、コンデンサＣ１の一端に接続され、コンデンサＣ１の他端は、第１ＵＳＢスイッチ１０１の端子１１５とＵＳＢソケット４３のＤ−端子１４１とを接続する接続線の途中の点Ｐ１に接続される。換言すれば、第２ＵＳＢスイッチ１０１Ａの端子１１５Ａは、ＵＳＢソケット４３のＤ−端子１４１と、コンデンサＣ１を介して接続される。コンデンサＣ１は、端子１１５ＡとＤ−端子１４１との間に直列に接続される。
【００４４】
第２ＵＳＢスイッチ１０１Ａの端子１２５Ａは、第１ＵＳＢスイッチ１０１の端子１２５とＵＳＢソケット４３のＤ＋端子１４２とを接続する接続線の途中の点Ｐ２に接続される。換言すれば、第２ＵＳＢスイッチ１０１Ａの端子１２５Ａは、ＵＳＢソケット４３のＤ＋端子１４２と接続される。
【００４５】
プルアップ抵抗Ｒは、ＵＳＢソケット４３のＩＤ端子１４３と電源Ｖｄｄとを接続し、ＩＤ端子１４３の電圧をプルアップする。以下、プルアップ抵抗Ｒによりプルアップされた状態におけるＩＤ端子１４３の電圧をプルアップ電圧という。
【００４６】
コモンフィルタ８１は、第１ＵＳＢスイッチ１０１の端子１１５とＵＳＢソケット４３のＤ−端子１４１との間、および第１ＵＳＢスイッチ１０１の端子１２５とＵＳＢソケット４３のＤ＋端子１４２との間に配置される。なお、コモンフィルタ８１を、点Ｐ１とＤ−端子１４１との間および点Ｐ２とＤ＋端子１４２との間に配置しているが、第１ＵＳＢスイッチ１０１の端子１１５とＵＳＢソケット４３のＤ−端子１４１との間、および第１ＵＳＢスイッチ１０１の端子１２５とＵＳＢソケット４３のＤ＋端子１４２との間であれば、端子１１５と点Ｐ１との間、および端子１２５と点Ｐ２との間であってもよい。
【００４７】
ＣＰＵ１１は、検出部５６と、ユーザの操作を受け付ける操作受付部５７と、切換制御部５８と、を含む。検出部５６は、ＵＳＢソケット４３のＩＤ端子１４３と接続されるＡＶ−ＤＥＴ端子５３の電圧を検出する。ＵＳＢソケット４３にアナログケーブル１のＵＳＢプラグ４５が接続される場合、ＵＳＢソケット４３のＩＤ端子１４３が接地されるので、ＡＶ−ＤＥＴ端子５３の電圧がプルアップ電圧より低い電圧となる。一方、ＵＳＢソケット４３にＵＳＢケーブル２のＵＳＢプラグ４８が接続される場合、ＵＳＢソケット４３のＩＤ端子１４３が開放されるので、ＡＶ−ＤＥＴ端子５３の電圧がプルアップ電圧となる。ＵＳＢソケット４３に何も接続されていない場合、ＵＳＢソケット４３のＩＤ端子１４３が開放されたままなので、ＡＶ−ＤＥＴ端子５３の電圧がプルアップ電圧となる。
【００４８】
検出部５６は、ＡＶ−ＤＥＴ端子５３の電圧がプルアップ電圧より小さければ、アナログケーブル１が接続されたことを検出する。検出部５６は、ＡＶ−ＤＥＴ端子５３の電圧がプルアップ電圧より小さい間、切換制御部５８に、アナログ選択信号を出力するが、ＡＶ−ＤＥＴ端子５３の電圧がプルアップ電圧の間、切換制御部５８に、ＵＳＢ選択信号を出力する。
【００４９】
切換制御部５８は、検出部５６から入力されるアナログ選択信号またはＵＳＢ選択信号に基づいて、第１ＵＳＢスイッチ１０１および第２ＵＳＢスイッチ１０１Ａの接続状態を切り換える。具体的には、切換制御部５８は、検出部５６からＵＳＢ選択信号が入力されている間は、第１ＵＳＢスイッチ１０１に接続状態を示す接続信号を出力するとともに、第２ＵＳＢスイッチ１０１Ａに非接続状態を示す接続信号を出力する。また、切換制御部５８は、検出部５６からアナログ選択信号が入力されている間は、第１ＵＳＢスイッチ１０１に非接続状態を示す接続信号を出力するとともに、第２ＵＳＢスイッチ１０１Ａに接続状態を示す接続信号を出力する。ここでは、接続状態を示す接続信号をＨＩ、非接続状態を示す接続信号をＬＯとしている。切換制御部５８は、検出部５６からＵＳＢ選択信号が入力されている間は、ＯＥ−ＵＳＢ端子５２をＨＩにするとともに、ＯＥ−ＡＶ端子５５をＬＯにし、検出部５６からアナログ選択信号が入力されている間は、ＯＥ−ＵＳＢ端子５２をＬＯにするとともに、ＯＥ−ＡＶ端子５５をＨＩにする。
【００５０】
切換制御部５８が第１ＵＳＢスイッチ１０１に接続状態を示す接続信号を出力するとともに、第２ＵＳＢスイッチ１０１Ａに非接続状態を示す接続信号を出力する場合、換言すれば、ＯＥ−ＵＳＢ端子５２をＨＩにし、ＯＥ−ＡＶ端子５５をＬＯにする場合、第１ＵＳＢスイッチ１０１は能動化し、第２ＵＳＢスイッチ１０１Ａは非能動化する。したがって、ＵＳＢソケット４３と、第１ＵＳＢ回路６０と第２ＵＳＢ回路６３のいずれか一方が、接続される。
【００５１】
切換制御部５８が第１ＵＳＢスイッチ１０１に非接続状態を示す接続信号を出力するとともに、第２ＵＳＢスイッチ１０１Ａに接続状態を示す接続信号を出力する場合、換言すれば、ＯＥ−ＵＳＢ端子５２をＬＯにし、ＯＥ−ＡＶ端子５５をＨＩにする場合、第１ＵＳＢスイッチ１０１は非能動化し、第２ＵＳＢスイッチ１０１Ａは能動化する。したがって、ＵＳＢソケット４３と、第１アナログ回路７０と第２アナログ回路７３のいずれか一方が、接続される。
【００５２】
操作受付部５７は、ユーザが操作部１７に入力する操作を受け付ける。操作部１７は、第１設定ボタンと第２設定ボタンとを有する。第１設定ボタンは、第１ＵＳＢ回路６０と第２ＵＳＢ回路６３とを切り換えるスイッチである。第２設定ボタンは、第１アナログ回路７０と第２アナログ回路７３とを切り換えるスイッチである。操作受付部５７は、ユーザが第１設定ボタンを第１ＵＳＢ回路設定に切り換える操作を受け付けると、第１ＵＳＢスイッチ１０１に第１選択状態を示す選択信号を出力し、ユーザが第１設定ボタンを第２ＵＳＢ回路設定に切り換える操作を受け付けると、第１ＵＳＢスイッチ１０１に第２選択状態を示す選択信号を出力する。また、操作受付部５７は、ユーザが第２設定ボタンを第１アナログ回路設定に切り換える操作を受け付けると、第２ＵＳＢスイッチ１０１Ａに第１選択状態を示す選択信号を出力し、ユーザが第２設定ボタンを第２アナログ回路設定に切り換える操作を受け付けると、第２ＵＳＢスイッチ１０１Ａに第２選択状態を示す選択信号を出力する。
【００５３】
ここでは、第１選択状態を示す選択信号をＨＩ、第２選択状態を示す選択信号をＬＯとしている。操作受付部５７は、ユーザが第１設定ボタンを第１ＵＳＢ回路設定に切り換える操作を受け付けると、ＵＳＢ−ＳＥＬ端子５１をＨＩにし、ユーザが第１設定ボタンを第２ＵＳＢ回路設定に切り換える操作を受け付けると、ＵＳＢ−ＳＥＬ端子５１をＬＯにする。操作受付部５７は、ユーザが第２設定ボタンを第１アナログ回路設定に切り換える操作を受け付けると、ＡＶ−ＳＥＬ端子５４をＨＩにし、ユーザが第２設定ボタンを第２アナログ回路設定に切り換える操作を受け付けると、ＡＶ−ＳＥＬ端子５４をＬＯにする。
【００５４】
操作受付部５７が第１ＵＳＢスイッチ１０１に第１選択状態を示す選択信号を出力する場合、換言すれば、ＵＳＢ−ＳＥＬ端子５１をＨＩにする場合、第１ＵＳＢスイッチ１０１は、選択信号入力端子１２９に第１選択状態を示す選択信号が入力され、第１ＵＳＢ回路６０とＵＳＢソケット４３とを接続する。具体的には、第１ＵＳＢスイッチ１０１は、第１スイッチ１１０が端子１１５を端子１１３と接続し、第２スイッチ１２０が端子１２５を端子１２３と接続する。操作受付部５７が第１ＵＳＢスイッチ１０１に第２選択状態を示す選択信号を出力する場合、換言すれば、ＵＳＢ−ＳＥＬ端子５１をＬＯにする場合、第１ＵＳＢスイッチ１０１は、選択信号入力端子１２９にＣＰＵ１１から第２選択状態を示す選択信号が入力され、第２ＵＳＢ回路６３とＵＳＢソケット４３とを接続する。具体的には、第１ＵＳＢスイッチ１０１は、第１スイッチ１１０が端子１１５を端子１１７とを接続し、第２スイッチ１２０が端子１２５を端子１２７とを接続する。
【００５５】
操作受付部５７が第２ＵＳＢスイッチ１０１Ａに第１選択状態を示す選択信号を出力する場合、換言すれば、ＡＶ−ＳＥＬ端子５４をＨＩにする場合、第２ＵＳＢスイッチ１０１Ａは、選択信号入力端子１２９Ａに第１選択状態を示す選択信号が入力され、第１アナログ回路７０とＵＳＢソケット４３とを接続する。具体的には、第２ＵＳＢスイッチ１０１Ａは、第１スイッチ１１０Ａが端子１１５Ａを端子１１３Ａと接続し、第２スイッチ１２０Ａが端子１２５Ａを端子１２３Ａと接続する。操作受付部５７が第２ＵＳＢスイッチ１０１に第２選択状態を示す選択信号を出力する場合、換言すれば、ＡＶ−ＳＥＬ端子５４をＬＯにする場合、選択信号入力端子１２９Ａに第２選択状態を示す選択信号が入力され、第２ＵＳＢスイッチ１０１Ａは、第２アナログ回路７３とＵＳＢソケット４３とを接続する。具体的には、第２ＵＳＢスイッチ１０１Ａは、第１スイッチ１１０Ａが端子１１５Ａを端子１１７Ａと接続し、第２スイッチ１２０Ａが端子１２５Ａを端子１２７Ａと接続する。
【００５６】
コンデンサＣ１は、第２ＵＳＢスイッチ１０１Ａの端子１１５ＡとＵＳＢソケット４３のＤ−端子１４１との間に直列に接続される。第１アナログ回路７０または第２アナログ回路７３が出力するオーディオ信号は、直流成分が付加されているので、第１アナログ回路７０または第２アナログ回路７３がオーディオ信号を出力する場合、ＵＳＢソケット４３のＤ−端子１４１にはコンデンサＣ１により直流成分が除去されたオーディオ信号入力される。
【００５７】
図５は、第１の実施の形態における切換処理の流れの一例を示すフローチャートである。切換処理は、ＣＰＵ１１がＲＯＭ１３に記憶された切換プログラムを実行することにより、ＣＰＵ１１により実行される処理である。図５を参照して、ＣＰＵ１１は、ＡＶ−ＤＥＴ端子５３の電圧がプルアップ電圧か否かを判断する（ステップＳ０１）。ＡＶ−ＤＥＴ端子５３がプルアップ電圧ならば（ステップＳ０１でＹＥＳ）、処理をステップＳ０７に進めるが、そうでなければ（ステップＳ０１でＮＯ）、処理をステップＳ０２に進める。
【００５８】
ステップＳ０２においては、第１ＵＳＢスイッチ１０１を非接続状態にし、処理をステップＳ０３に進める。具体的には、ＣＰＵ１１は、非接続状態を示す接続信号を第１ＵＳＢスイッチ１０１に出力する。換言すれば、ＣＰＵ１１は、ＯＥ−ＵＳＢ端子５２をＬＯにする。これにより、第１ＵＳＢスイッチ１０１が端子１１５および端子１２５を開放して回路を開き、非接続状態になる。
【００５９】
ステップＳ０３においては、第２ＵＳＢスイッチ１０１Ａを接続状態にし、処理をステップＳ０４に進める。具体的には、ＣＰＵ１１は、接続状態を示す信号を第２ＵＳＢスイッチ１０１Ａに出力する。換言すれば、ＣＰＵ１１は、ＯＥ−ＡＶ端子５５をＨＩにする。これにより、第２ＵＳＢスイッチ１０１Ａが端子１１５Ａおよび端子１２５Ａを開放することなく回路を閉じ、接続状態になる。
【００６０】
ステップＳ０４においては、第１アナログ回路設定が受け付けられている否かを判断する。第１アナログ回路設定が受け付けられているならば（ステップＳ０４でＹＥＳ）、処理をステップＳ０５に進めるが、そうでなければ（ステップＳ０４でＮＯ）、処理をステップＳ０６に進める。
【００６１】
ステップＳ０５においては、第１アナログ回路７０を接続し、処理をステップＳ１２に進める。具体的は、ＣＰＵ１１は、第１選択状態を示す選択信号を第２ＵＳＢスイッチ１０１Ａに出力する。換言すれば、ＣＰＵ１１は、ＡＶ−ＳＥＬ端子５４をＨＩにする。これにより、第２ＵＳＢスイッチ１０１Ａは、第１アナログ回路７０とＵＳＢソケット４３とを接続する。
【００６２】
ステップＳ０６においては、第２アナログ回路７３を接続し、処理をステップＳ１２に進める。具体的には、ＣＰＵ１１は、第２選択状態を示す選択信号を第２ＵＳＢスイッチ１０１Ａに出力する。換言すれば、ＣＰＵ１１は、ＡＶ−ＳＥＬ端子５４をＬＯにする。これにより、第２ＵＳＢスイッチ１０１Ａは、第２アナログ回路７３とＵＳＢソケット４３とを接続する。
【００６３】
一方、ステップＳ０７においては、第１ＵＳＢスイッチ１０１を接続状態にし、処理をステップＳ０８に進める。具体的には、ＣＰＵ１１は、接続状態を示す接続信号を第１ＵＳＢスイッチ１０１に出力する。換言すれば、ＣＰＵ１１は、ＯＥ−ＵＳＢ端子５２をＨＩにする。これにより、第１ＵＳＢスイッチ１０１が回路を閉じ、接続状態になる。
【００６４】
ステップＳ０８においては、第２ＵＳＢスイッチ１０１Ａを非接続状態にし、処理をステップＳ０９に進める。具体的には、ＣＰＵ１１は、非接続状態を示す信号を第２ＵＳＢスイッチ１０１Ａに出力する。換言すれば、ＣＰＵ１１は、ＯＥ−ＡＶ端子５５をＬＯにする。これにより、第２ＵＳＢスイッチ１０１Ａが端子１１５Ａおよび端子１２５Ａを開放し、非接続状態になる。
【００６５】
ステップＳ０９においては、第１ＵＳＢ回路設定が受け付けられているか否かを判断する。第１ＵＳＢ回路設定が受け付けられているならば（ステップＳ０９でＹＥＳ）、処理をステップＳ１０に進めるが、そうでなければ（ステップＳ０９でＮＯ）、処理をステップＳ１１に進める。
【００６６】
ステップＳ１０においては、第１ＵＳＢ回路６０を接続し、処理をステップＳ１２に進める。具体的には、ＣＰＵ１１は、第１選択状態を示す選択信号を第１ＵＳＢスイッチ１０１に出力する。換言すれば、ＣＰＵ１１は、ＵＳＢ−ＳＥＬ端子５１をＨＩにする。これにより、第１ＵＳＢスイッチ１０１は、第１ＵＳＢ回路６０とＵＳＢソケット４３とを接続する。
【００６７】
ステップＳ１１においては、第２ＵＳＢ回路６３を接続し、処理をステップＳ１２に進める。具体的には、ＣＰＵ１１は、第２選択状態を示す選択信号を第１ＵＳＢスイッチ１０１に出力する。換言すれば、ＣＰＵ１１は、ＵＳＢ−ＳＥＬ端子５１をＬＯにする。これにより、第１ＵＳＢスイッチ１０１は、第２ＵＳＢ回路６３とＵＳＢソケット４３とを接続する。
【００６８】
ステップＳ１２においては、電源がオフになったか否かを判断する。電源がオフになったならば（ステップＳ１２でＹＥＳ）、切換処理を終了するが、そうでなければ（ステップＳ１２でＮＯ）、処理をステップＳ０１に戻す。
【００６９】
ここで、図２を参照して、第１ＵＳＢ回路６０および第２ＵＳＢ回路６３が入出力するＵＳＢ信号は、高周波の差動デジタル信号である。一方、第１ＵＳＢスイッチ１０１の端子１１５とＵＳＢソケット４３のＤ−端子１４１との間の接続線は、点Ｐ１でコンデンサＣ１と接続されており、第１ＵＳＢスイッチ１０１の端子１２３とＵＳＢソケット４３のＤ＋端子１４２との間の接続線は、点Ｐ２で第２ＵＳＢスイッチ１０１Ａと接続されている。このため、点Ｐ１とコンデンサＣ１とを接続する第１接続線、および、点Ｐ２と第２ＵＳＢスイッチ１０１Ａとを接続する第２接続線が、第１ＵＳＢスイッチ１０１の端子１１５とＵＳＢソケット４３のＤ−端子１４１との間の接続線および第１ＵＳＢスイッチ１０１の端子１２３とＵＳＢソケット４３のＤ＋端子１４２との間の接続線それぞれに流れるデジタル信号の波形品質に悪影響を与える。本実施の形態におけるデジタルビデオカメラ１０は、第１接続線および第２接続線の上記悪影響を可能な限り小さくするため、両面基板２０の表面に第１ＵＳＢスイッチ１０１を配置し、裏面に第２ＵＳＢスイッチ１０１Ａを配置している。
【００７０】
図６（Ａ）は、第１ＵＳＢスイッチおよび第２ＵＳＢスイッチの配置の一例を示す平面図である。図６（Ｂ）は、図６（Ａ）のＡ−Ａ線断面図である。図６（Ａ）を参照して、両面基板２０の表面に、ＵＳＢソケット４３と、コモンフィルタ８１と、第１ＵＳＢスイッチ１０１と、コンデンサＣ１と、が配置され、裏面に、第２ＵＳＢスイッチ１０１Ａが配置される。コモンフィルタ８１から伸びる２つの配線パターンは、点Ｐ１および点Ｐ２において、それぞれ分岐している。点Ｐ１から分岐する１つの配線パターンは、第１ＵＳＢスイッチ１０１に繋がり、他の配線パターンはスルーホール１５１に繋がる。また、点Ｐ２から分岐する１つの配線パターンは、第１ＵＳＢスイッチ１０１に繋がり、他の配線パターンはコンデンサＣ１を経由してスルーホール１５２に繋がる。裏面においては、スルーホール１５１から伸びるパターンが第２ＵＳＢスイッチ１０１Ａに繋がり、スルーホール１５２から伸びるパターンが第２ＵＳＢスイッチ１０１Ａに繋がる。スルーホール１５１，１５２には表面の配線パターンと裏面の配線パターンとを接続する接続線が配置される。
【００７１】
このように、第１ＵＳＢスイッチ１０１と第２ＵＳＢスイッチ１０１Ａとを両面基板の表裏にそれぞれ配置したので、同一面に配置した場合よりも、点Ｐ２と第２ＵＳＢスイッチ１０１Ａとの間に形成される配線パターン、点Ｐ２とコンデンサＣ１との間に形成される配線パターンの長さを短くすることができ、波形品質への悪影響を小さくすることができる。
【００７２】
以上説明したように、第１の実施の形態におけるデジタルビデオカメラ１０は、ＵＳＢソケット４３と、第１アナログ回路７０および第２アナログ回路７３と、第１ＵＳＢ回路６０および第２ＵＳＢ回路６３と、ＵＳＢソケット４３を第１アナログ回路７０、第２アナログ回路７３、第１ＵＳＢ回路６０および第２ＵＳＢ回路６３のいずれか１つと接続する切換手段と、を備える。
【００７３】
この局面に従えば、ＵＳＢソケット４３にアナログケーブル１が接続された場合は、ＵＳＢソケット４３を第１アナログ回路７０および第２アナログ回路７３のいずれか一方と接続し、ＵＳＢソケット４３にアナログケーブル１が接続されていない場合、特に、ＵＳＢソケット４３にＵＳＢケーブル２が接続されている場合は、ＵＳＢソケット４３を第１ＵＳＢ回路６０および第２ＵＳＢ回路６３のいずれか一方と接続するので、１つのＵＳＢソケット４３からアナログ信号とデジタル信号とのいずれか一方を出力することができる。したがって、アナログ信号を出力するためのコネクタと、デジタル信号を出力するためのコネクタとを別々に設ける必要がなく、コネクタの数を少なくすることができる。
【００７４】
また、アナログケーブル１は、ＩＤ端子とＧＮＤ端子とを接続しており、ＵＳＢケーブル２は、ＩＤ端子を開放しており、ＵＳＢソケット４３のＩＤ端子をプルアップ抵抗Ｒによってプルアップするので、ＵＳＢソケット４３にアナログケーブル１が接続されると、ＩＤ端子が接地され、ＵＳＢソケット４３にＵＳＢケーブル２が接続されると、ＩＤ端子がプルアップ電圧となる。このため、ＵＳＢソケット４３にアナログケーブル１が接続されたことを検出することができる。
【００７５】
さらに、第２ＵＳＢスイッチ１０１Ａの端子１１５ＡとＵＳＢソケット４３のＤ−端子１４１との間にコンデンサＣ１を直列に接続するので、第１アナログ回路７０または第２アナログ回路７３から出力されるアナログ信号の直流成分を除去したアナログ信号をＵＳＢソケット４３から出力することができる。また、コンデンサＣ１が、第２ＵＳＢスイッチ１０１ＡとＵＳＢソケット４３との間に接続されるので、直流成分を除去する前のアナログ信号が第２ＵＳＢスイッチ１０１Ａに入力される。このため、ダイナミックレンジがプラス側の所定範囲に制限された第２ＵＳＢスイッチ１０１Ａを用いることができる。
【００７６】
＜変形例＞
第１の実施の形態においては、ＣＰＵ１１が、ＵＳＢソケット４３のＩＤ端子１４３の電圧を検出することにより、ＵＳＢソケット４３にアナログケーブル１が接続されたか否かをＣＰＵ１１が検出するようにした。変形例におけるデジタルビデオカメラ１０においては、ＵＳＢソケット４３のＩＤ端子１４３を、第１ＵＳＢスイッチ１０１の接続信号入力端子１３１に接続するとともに、ＵＳＢソケット４３のＩＤ端子１４３を、反転器を介して第２ＵＳＢスイッチ１０１Ａの接続信号入力端子１３１Ａに接続する。この場合には、ＣＰＵ１１は、検出部５６および切換制御部５８を備える必要はない。
【００７７】
このように構成すれば、ＵＳＢソケット４３のＩＤ端子１４３が、プルアップ電圧（ＨＩ）ならば、第１ＵＳＢスイッチ１０１の接続信号入力端子１３１にプルアップ電圧（ＨＩ）が印加されるとともに、第２ＵＳＢスイッチ１０１Ａの接続信号入力端子１３１Ａにプルアップ電圧より低い電圧（ＬＯ）が印加され、ＵＳＢソケット４３のＩＤ端子１４３が、プルアップ電圧より低い電圧（ＬＯ）ならば、第１ＵＳＢスイッチ１０１の接続信号入力端子１３１にプルアップ電圧より低い電圧（ＬＯ）が印加されるとともに、第２ＵＳＢスイッチ１０１Ａの接続信号入力端子１３１Ａにプルアップ電圧（ＨＩ）が印加される。変形例おけるデジタルビデオカメラ１０においても、第１の実施の形態におけるデジタルビデオカメラ１０と同様の効果を奏することができる。
【００７８】
＜第２の実施の形態＞
第１の実施の形態における入出力回路４１は、ダイナミックレンジがプラス側の所定の範囲に制限された第１ＵＳＢスイッチ１０１および第２ＵＳＢスイッチ１０１Ａを用いた。第２の実施の形態における入出力回路４１Ａは、第１ＵＳＢスイッチ１０１および第２ＵＳＢスイッチ１０１Ａの代わりに、ダイナミックレンジがプラス側に加えてマイナス側に所定の範囲を有する第３ＵＳＢスイッチ１０１Ｂを設けるとしたものである。以下、第１の実施の形態に示した部品と同一部品には同一の符号を付し、詳細な説明は繰り返さない。
【００７９】
図７は、第２の実施の形態における入出力回路の構成の一例をＵＳＢソケットおよびＣＰＵとともに示すブロック図である。図７を参照して、入出力回路４１Ａは、第１ＵＳＢ回路６０と、第１アナログ回路７０と、第３ＵＳＢスイッチ１０１Ｂと、コモンフィルタ８１と、プルアップ抵抗Ｒと、コンデンサＣ１と、を含む。第３ＵＳＢスイッチ１０１Ｂは、コネクタスイッチの一例である。
【００８０】
ＣＰＵ１１Ａは、ＢＵＳ３９を介して、第１アナログ回路７０、第１ＵＳＢ回路６０と接続されており、第１アナログ回路７０、第１ＵＳＢ回路６０を制御する。また、ＣＰＵ１１Ａは、ＳＥＬ端子５１Ａと、ＯＥ端子５２Ａと、ＤＥＴ端子５３Ａと、を有する。
【００８１】
第３ＵＳＢスイッチ１０１Ｂは、ダイナミックレンジがプラスとマイナスを有する点で、プラス側の所定の範囲に制限される第１ＵＳＢスイッチ１０１および第２ＵＳＢスイッチ１０１Ａと異なるが、その他の構成は、第１ＵＳＢスイッチ１０１および第２ＵＳＢスイッチ１０１Ａと同じである。図７においては、第３ＵＳＢスイッチ１０１Ｂが有する部品には、第１ＵＳＢスイッチ１０１が有する部品と同じ数字を含む符号を付し、第３ＵＳＢスイッチ１０１Ｂが有する部品に付した符号は、第１ＵＳＢスイッチ１０１が有する部品に付した符号の番号の後に文字「Ｂ」を添えた符号で示している。
【００８２】
第３ＵＳＢスイッチ１０１Ｂの端子１１３Ｂおよび端子１２３Ｂは、第１ＵＳＢ回路６０のＤ−端子６１およびＤ＋端子６２にそれぞれ接続される。第３ＵＳＢスイッチ１０１Ｂの端子１１７Ｂは、コンデンサＣ１の一端に接続され、コンデンサＣ１の他端は、第１アナログ回路７０のＡＵＤＩＯ端子７１に接続される。第３ＵＳＢスイッチ１０１Ｂの端子１２７Ｂは、第１アナログ回路７０のＶＩＤＥＯ端子７２に接続される。第３ＵＳＢスイッチ１０１Ｂの選択信号入力端子１２９Ｂおよび接続信号入力端子１３１Ｂは、ＣＰＵ１１のＳＥＬ端子５１ＡおよびＯＥ端子５２Ａにそれぞれ接続される。
【００８３】
第３ＵＳＢスイッチ１０１Ｂの端子１１５Ｂは、ＵＳＢソケット４３のＤ−端子１４１とコモンフィルタ８１を介して接続される。第３ＵＳＢスイッチ１０１Ｂの端子１２５Ｂは、ＵＳＢソケット４３のＤ＋端子１４２とコモンフィルタ８１を介して接続される。
【００８４】
コンデンサＣ１は、第１アナログ回路７０のＡＵＤＩＯ端子７１と、第３ＵＳＢスイッチ１０１Ｂの端子１１７Ｂとの間に直列に接続されている。第１アナログ回路７０が出力するオーディオ信号は、直流成分が付加されているので、第１アナログ回路７０がオーディオ信号を出力する場合、第３ＵＳＢスイッチ１０１Ｂの端子１１７ＢにはコンデンサＣ１により直流成分が除去されたオーディオ信号入力される。第３ＵＳＢスイッチ１０１Ｂは、ダイナミックレンジがプラスとマイナスに所定の範囲を有するので、第１アナログ回路７０がオーディオ信号を出力する場合、コンデンサＣ１により直流成分が除去されたオーディオ信号がＵＳＢソケット４３のＤ−端子１４１に入力される。
【００８５】
プルアップ抵抗Ｒは、ＵＳＢソケット４３のＩＤ端子１４３と電源Ｖｄｄとを接続し、ＩＤ端子１４３の電圧をプルアップする。
【００８６】
ＣＰＵ１１は、検出部５６Ａと、切換制御部５８Ａと、を含む。検出部５６Ａは、ＤＥＴ端子５３Ａの電圧を検出する。ＤＥＴ端子５３Ａは、ＵＳＢソケット４３のＩＤ端子１４３と接続されている。ＵＳＢソケット４３にアナログケーブル１のＵＳＢプラグ４５が接続される場合、ＤＥＴ端子５３Ａの電圧がプルアップ電圧より低い電圧となる。一方、ＵＳＢソケット４３にＵＳＢケーブル２のＵＳＢプラグ４８が接続される場合、ＤＥＴ端子５３Ａの電圧がプルアップ電圧となる。ＵＳＢソケット４３に何も接続されていない場合、ＤＥＴ端子５３Ａの電圧がプルアップ電圧となる。
【００８７】
検出部５６Ａは、ＤＥＴ端子５３Ａの電圧がプルアップ電圧より小さければ、アナログケーブル１が接続されたことを検出する。検出部５６Ａは、ＤＥＴ端子５３Ａの電圧が所定のプルアップ電圧より小さい間、切換制御部５８Ａに、アナログ選択信号を出力するが、ＤＥＴ端子５３Ａの電圧がプルアップ電圧の間、切換制御部５８Ａに、ＵＳＢ選択信号を出力する。
【００８８】
切換制御部５８Ａは、検出部５６Ａから入力されるアナログ選択信号またはＵＳＢ選択信号に基づいて、第３ＵＳＢスイッチ１０１Ｂに接続指示を出力する。具体的には、切換制御部５８Ａは、検出部５６ＡからＵＳＢ選択信号が入力されている間、第１選択状態を示す選択信号を出力し、検出部５６Ａからアナログ選択信号が入力されている間、第２選択状態を示す選択信号を出力する。ここでは、第１選択状態を示す選択信号をＨＩ、第２選択状態を示す選択信号をＬＯとしているので、切換制御部５８Ａは、検出部５６ＡからＵＳＢ選択信号が入力されている間は、ＳＥＬ端子５１ＡをＨＩにし、検出部５６Ａからアナログ選択信号が入力されている間は、ＳＥＬ端子５１ＡをＬＯにする。
【００８９】
切換制御部５８Ａが第３ＵＳＢスイッチ１０１Ｂに第１選択状態を示す選択信号を出力する場合、換言すれば、ＳＥＬ端子５１ＡをＨＩにする場合、第３ＵＳＢスイッチ１０１Ｂは、選択信号入力端子１２９に第１選択状態を示す選択信号が入力され、第１ＵＳＢ回路６０とＵＳＢソケット４３とを接続する。切換制御部５８Ａが第３ＵＳＢスイッチ１０１Ｂに第２選択状態を示す選択信号を出力する場合、換言すれば、ＳＥＬ端子５１ＡをＬＯにする場合、第３ＵＳＢスイッチ１０１Ｂは、選択信号入力端子１２９に第２選択状態を示す選択信号が入力され、第１アナログ回路７０とＵＳＢソケット４３とを接続する。
【００９０】
なお、ＣＰＵ１１Ａは、第３ＵＳＢスイッチ１０１Ｂの接続状態を切り換えるために、第３ＵＳＢスイッチ１０１Ｂに接続信号を出力するが、ＵＳＢソケット４３にＵＳＢケーブル２またはアナログケーブル１のいずれかが接続されている間、第３ＵＳＢスイッチ１０１Ｂに接続状態を示す接続信号を出力するようにすればよい。
【００９１】
図８は、第２の実施の形態における切換処理の流れの一例を示すフローチャートである。切換処理は、ＣＰＵ１１ＡがＲＯＭ１３に記憶された切換プログラムを実行することにより、ＣＰＵ１１Ａにより実行される処理である。図７を参照して、ＣＰＵ１１Ａは、ＤＥＴ端子５３Ａの電圧がプルアップ電圧か否かを判断する（ステップＳ２０）。ＤＥＴ端子５３Ａがプルアップ電圧ならば（ステップＳ２０でＹＥＳ）、処理をステップＳ２１に進めるが、そうでなければ（ステップＳ２０でＮＯ）、処理をステップＳ２２に進める。
【００９２】
ステップＳ２１においては、第１ＵＳＢ回路６０とＵＳＢソケット４３とを接続し、処理をステップＳ２３に進める。具体的には、ＣＰＵ１１Ａは、第１選択状態を示す選択信号を第３ＵＳＢスイッチ１０１Ｂに出力する。換言すれば、ＣＰＵ１１Ａは、ＳＥＬ端子５１ＡをＨＩにする。これにより、第３ＵＳＢスイッチ１０１Ａは、第１ＵＳＢ回路６０とＵＳＢソケット４３とを接続する。
【００９３】
一方、ステップＳ２１においては、第１アナログ回路７０とＵＳＢソケット４３とを接続し、処理をステップＳ２３に進める。具体的には、ＣＰＵ１１Ａは、第２選択状態を示す選択信号を第３ＵＳＢスイッチ１０１Ｂに出力する。換言すれば、ＣＰＵ１１Ａは、ＳＥＬ端子５１ＡをＬＯにする。これにより、第３ＵＳＢスイッチ１０１Ａは、第１アナログ回路７０とＵＳＢソケット４３とを接続する。
【００９４】
ステップＳ２３においては、電源がオフになったか否かを判断する。電源がオフになったならば（ステップＳ２３でＹＥＳ）、切換処理を終了するが、そうでなければ（ステップＳ２３でＮＯ）、処理をステップＳ２０に戻す。
【００９５】
第２の実施の形態におけるデジタルビデオカメラ１０は、ＵＳＢソケット４３にアナログケーブル１が接続される場合に、ＵＳＢソケット４３に第１アナログ回路７０を接続し、ＵＳＢソケット４３にアナログケーブル１が接続されていない場合、特に、ＵＳＢソケット４３にＵＳＢケーブル２が接続される場合に、ＵＳＢソケット４３を第１ＵＳＢ回路６０に接続する。このため、ＵＳＢソケット４３にアナログケーブル１とＵＳＢケーブル２とのいずれをも接続することができるので、第１アナログ回路７０および第１ＵＳＢ回路６０で１つのＵＳＢソケット４３を共有することができる。その結果、第１アナログ回路７０に対応するソケットと、第１ＵＳＢ回路６０に対応するソケットとの２つを設ける必要がないので、デジタルビデオカメラ１０を小型にすることができる。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９７】
１  アナログケーブル、２  ＵＳＢケーブル、１０  デジタルビデオカメラ、１１  ＣＰＵ、１３  ＲＯＭ、１５  イメージセンサ、１７  操作部、２０  両面基板、２１  マイクロホン、２５  メモリ制御部、２７  ＳＤＲＡＭ、２９  ＬＣＤドライバ、３１  ＬＣＤ、３３  ＪＰＥＧ−ＣＯＤＥＣ、３５  ＭＰＥＧ−ＣＯＤＥＣ、３７  ＨＤＤ、３９  バス、４１，４１Ａ  入出力回路、４３  ＵＳＢソケット、４５，４８，４９  ＵＳＢプラグ、４６，４７  ピンプラグ、５１  ＵＳＢ−ＳＥＬ端子、５１Ａ  ＳＥＬ端子、５２  ＯＥ−ＵＳＢ端子、５２Ａ  ＯＥ端子、５３  ＡＶ−ＤＥＴ端子、５３Ａ  ＤＥＴ端子、５４  ＡＶ−ＳＥＬ端子、５５  ＯＥ−ＡＶ端子、５６，５６Ａ  検出部、５７  操作受付部、５８，５８Ａ  切換制御部、６０  第１ＵＳＢ回路、６１，６４  Ｄ−端子、６２，６５  Ｄ＋端子、６３  第２ＵＳＢ回路、７０  第１アナログ回路、７１，７４  ＡＵＤＩＯ端子、７２，７５  ＶＩＤＥＯ端子、７３  第２アナログ回路、８１  コモンフィルタ、１０１  第１ＵＳＢスイッチ、１０１Ａ  第２ＵＳＢスイッチ、１０１Ｂ  第３ＵＳＢスイッチ、１１０，１１０Ａ，１１０Ｂ  第１スイッチ、１２０，１２０Ａ，１２０Ｂ  第２スイッチ、１４０  ＶＢＵＳ端子、１４１  Ｄ−端子、１４２  Ｄ＋端子、１４３  ＩＤ端子、１４４  ＧＮＤ端子、１５１，１５２  スルーホール、Ｃ１  コンデンサ、Ｒ  プルアップ抵抗、Ｖｄｄ  電源。
【図１】
2013130898.tif 000003
【図２】
2013130898.tif 000004
【図３】
2013130898.tif 000005
【図４】
2013130898.tif 000006
【図５】
2013130898.tif 000007
【図６】
2013130898.tif 000008
【図７】
2013130898.tif 000009
【図８】
2013130898.tif 000010